(57)【要約】      （修正有）【課題】断熱効果が良く、重複に利用することが可能であり、地球環境に優しい断熱容器を提供する。【解決手段】底部１１と底部を囲む外周壁１２とを有し、底部１１と外周壁１２とから収容空間１３が形成される容器本体１と、布で作製されるものであり、容器本体１の外周壁１２に嵌め設けられており、外周面と裏周面とを有し、裏周面は外周壁１２に面しており、外周面は裏周面の反対面であり、裏周面と外周面には毛付け層、がそれぞれ設けられており、裏周面と外周面の間に繊維層が設けられており、繊維層は繊維を交錯に織って構成されるものである嵌め具２と、を含み、容器本体１の材質は、嵌め具２の材質と異なる。【選択図】図１Ａ
0003193475.tif 000002
【実用新案登録請求の範囲】
【請求項１】
底部と、前記底部を囲む外周壁と、を有し、前記底部と前記外周壁とから収容空間が形成される容器本体と、
布で作製されるものであり、前記容器本体の前記外周壁に嵌め設けられており、外周面と、裏周面と、を有し、前記裏周面は前記外周壁に面しており、前記外周面は前記裏周面の反対面であり、前記裏周面と前記外周面には、毛付け層がそれぞれ設けられており、前記裏周面と前記外周面の間に繊維層が設けられており、前記繊維層は繊維を交錯に織って構成されるものである嵌め具と、を含み、
前記容器本体の材質は、前記嵌め具の材質と異なることを特徴とする断熱容器。
【請求項２】
前記嵌め具は、シート状を呈する布を縫って形成され、前記布は、第１端と、第２端と、を有し、前記第１端と前記第２端は縫い糸によって縫合され、前記縫い糸は、少なくとも一部が前記嵌め具の前記繊維層の内部に位置し、前記外周面には見えないことを特徴とする、請求項１に記載の断熱容器。
【請求項３】
前記布の前記第１端と前記第２端は、互いに重なり合わないことを特徴とする、請求項１に記載の断熱容器。
【請求項４】
前記嵌め具は、前記容器本体に脱着することが可能であることを特徴とする、請求項１に記載の断熱容器。
【請求項５】
前記嵌め具の素材は不織布を採用することを特徴とする、請求項１に記載の断熱容器。
【考案の詳細な説明】
【技術分野】
【０００１】
本考案は、容器に関し、特に、断熱容器に関するものである。
【背景技術】
【０００２】
コーヒーや飲料を販売するショップは、高温な飲料がユーザの手部と直接に接触することを防止するために、高温な飲料を収容する容器の周面にスリーブを嵌めることが一般的である。このように、ユーザの手部が高温な飲料に火傷されることを回避することが可能である。従来のスリーブは、紙質又は樹脂発泡の材質を採用する。例えば特許文献１の台湾実用新案Ｍ４３１６９４号の保温断熱スリーブが提案された。このような保温断熱スリーブは、二枚のシートを有し、前記二つのシートのエッジが互いに連結する。前記各シートは、断熱層と、フィルム層と、を有する。前記断熱層は、発泡材料で作製されるシートである。しかし、このような保温断熱スリーブは、洗濯することができないため、重複に利用することができない。このように、資源が無駄に浪費され、そしてゴミ量が増加する。
【先行技術文献】
【特許文献】
【０００３】
【特許文献１】台湾実用新案第Ｍ４３１６９４号公報
【考案の概要】
【考案が解決しようとする課題】
【０００４】
本考案の主な目的は、断熱効果が良く、重複に利用することが可能であり、地球環境に優しい断熱容器を提供することにある。
【課題を解決するための手段】
【０００５】
本考案の断熱容器によると、底部と、底部を囲む外周壁と、を有し、底部と外周壁とから収容空間が形成される容器本体と、布で作製されるものであり、容器本体の外周壁に嵌め設けられており、外周面と、裏周面と、を有し、裏周面は外周壁に面しており、外周面は裏周面の反対面であり、裏周面と外周面には、毛付け層がそれぞれ設けられており、裏周面と外周面の間に繊維層が設けられており、繊維層は繊維を交錯に織って構成されるものである嵌め具と、を含み、容器本体の材質は、嵌め具の材質と異なることを特徴とする。
【０００６】
本考案の断熱容器によると、嵌め具は、シート状を呈する布を縫って形成され、布は、第１端と、第２端と、を有し、第１端と第２端は縫い糸によって縫合され、縫い糸は、少なくとも一部が嵌め具の繊維層の内部に位置し、外周面には見えないことを特徴とする。
【０００７】
本考案の断熱容器によると、布の第１端と第２端は、互いに重なり合わないことを特徴とする。
【０００８】
本考案の断熱容器によると、嵌め具は、容器本体に脱着することが可能であることを特徴とする。
【０００９】
本考案の断熱容器によると、嵌め具の素材は不織布を採用することを特徴とする。
【考案の効果】
【００１０】
本考案の断熱容器によれば、断熱効果が良く、重複に利用することが可能であり、地球環境に優しいという効果を有する。
【図面の簡単な説明】
【００１１】
【図１Ａ】本考案の一実施例を示す斜視図である。
【図１Ｂ】本考案の一実施例の一部を示す拡大断面図である。
【図２】本考案の嵌め具を示す斜視図である。
【図３】本考案の布の縫合を示す図である。
【考案を実施するための形態】
【００１２】
以下、本考案の実施の形態を図面に基づいて説明する。
図１Ａを参照する。図１Ａは本考案の一実施例を示す斜視図である。本考案の一実施例の断熱容器は、容器本体１と、布で作製される嵌め具２と、を含む。
【００１３】
容器本体１は、底部１１と、底部１１を囲む外周壁１２と、を有する。底部１１は円形を呈する。底部１１と外周壁１２とから、収容空間１３が形成される。収容空間１３は、品物や液体などを収容することが可能である。容器本体１は、樹脂製のコップ、紙製のコップ、又は発泡材料で作製される容器である。もちろん、容器本体１は、品物や液体などを収容する、碗、又はその他の容器であってもよい。容器本体１の底部１１の反対側に開口が設けられている。容器本体１の前記開口と底部１１との円心を結ぶラインを軸線とする。容器本体１の外周壁１２から前記軸線までの距離を容器本体１の半径とする。容器本体１の半径は、前記開口での半径が前記底部１１での半径よりも大きい。このように、容器本体１の外周壁１２の輪郭により、ユーザの手は容器本体１を握りやすい。
【００１４】
嵌め具２は、布で作製されるものであり、容器本体１の外周壁１２に嵌め設けられている。嵌め具２は、容器本体１の外周壁１２に脱着することが可能であることが好ましい。嵌め具２の輪郭は、容器本体１の外周壁１２の輪郭に合うことが可能であり、ほぼ環状を呈する。具体的には、嵌め具２の半径方向での両端の距離を嵌め具２の幅とする。嵌め具２の容器本体１の前記開口に近接する一端は、嵌め具２の容器本体１の底部１１に近接する一端よりも大きい。換言すると、嵌め具２の幅は、嵌め具２の容器本体１の前記開口に近接する一端から、嵌め具２の容器本体１の底部１１に近接する一端へ徐々に縮径する。このように、嵌め具２は容器本体１の外周壁１２の輪郭に合うことが可能であり、嵌め具２を作製する材料を減少することが可能であり、生産コストを減少することが可能である。容器本体１の材質は、嵌め具２の材質と異なる。容器本体１の収容空間１３に高温な液体が収容されているときには、ユーザが嵌め具２を握ることにより、容器本体１の外周壁１２の高温による火傷を回避することが可能である。すなわち、嵌め具２は断熱効果を有する。
【００１５】
嵌め具２は、外周面２１と、裏周面２２と、を有する。裏周面２２は外周壁１２に面している。外周面２１は裏周面２２の反対面である。外周面２１と裏周面２２には、図１Ａ及び図１Ｂに示すように、毛付け層２１１、２２１がそれぞれ設けられている。嵌め具２の裏周面２２の毛付け層２２１は、容器本体１の外周壁１２に面している。このように、容器本体１の外周壁１２と嵌め具２の裏周面２２の間に隙間が存在することにより、断熱効果は良くなる。嵌め具２の外周面２１の毛付け層２１１は、嵌め具２の裏周面２２の反対面に位置する。このように、ユーザが嵌め具２を握っているときには、嵌め具２の外周面２１に設けられている毛付け層２１１により、ユーザの手部と嵌め具２の摩擦力を増加することが可能であるため、滑り止効果は良くなる。裏周面２２と外周面２１の間に繊維層２３が設けられている。繊維層２３は繊維を交錯に織って構成されるものであるため、通気性は良い。
【００１６】
嵌め具２は、図２及び図３に示すように、シート状を呈する布２´を縫合して形成される。布２´は、第１端２４´と、第２端２５´と、を有する。縫い糸３によって、第１端２４´と第２端２５´を縫合すると、嵌め具２が形成される。特に、縫い糸３は、少なくとも一部が嵌め具２の繊維層２３の内部に位置し、外周面２１には見えない。換言すると、縫い糸３は、布２´の第１端２４´の裏周面２２から挿入して、布２´の第１端２４´の端面を出て、布２´の第２端２５´の端面から挿入して、布２´の第２端２５´の裏周面２２を出る。このような縫合作業を繰り返すと、第１端２４´と第２端２５´を縫合して嵌め具２を形成することが可能である。特に、布２´の第１端２４´と第２端２５´は、互いに当接して、縫い糸３によって縫合するため、布２´の第１端２４´と第２端２５´は互いに重なり合わない。このように、嵌め具２を作製するための布２´を節約することが可能であり、嵌め具２の縫合箇所では、重なり合う部分を有しないため、凹凸を形成しない。嵌め具２の縫合箇所で凹凸が形成しないため、容器本体１に嵌め具２を嵌合するときに、嵌め具２の裏周面２２と容器本体１の間には、より大きい隙間が存在しない。このように、容器本体１と嵌め具２の嵌合はより安定的となる。
【００１７】
本実施例では、嵌め具２の素材が不織布を採用する。すなわち、布２´の素材は不織布を採用する。不織布は天然植物又は合成繊維で作製される紡績品であるため、嵌め具２は、地球環境に優しく、そして重複に利用することが可能である。もちろん、嵌め具２は、木綿、又はそれに類似する材料を採用してもよい。
【００１８】
次に、本考案の一実施例の使用方法を説明する。容器本体１の収容空間１３は、液体を収容することが可能である。例えば容器本体１の収容空間１３に高温な液体が収容されているときには、容器本体１の外壁面１２に嵌め具２を嵌合することにより、ユーザの手部は、嵌め具２を握ることが可能であり、高温な飲料に火傷されることを回避することが可能である。また、嵌め具２は、布を採用し、布の熱伝導係数が低いため、断熱効果は良い。そして嵌め具２の裏周面１２に毛付け層２２１が設けられているため、嵌め具２の裏周面１２と容器本体１の外周壁１２に隙間が存在し、断熱効果を増加することが可能である。嵌め具２の外周面２１に毛付け層２１１が設けられていることにより、ユーザの手部と嵌め具２の摩擦力を増加することが可能であるため、滑り止効果は良くなる。このように、ユーザは嵌め具２を安定的に握ることが可能である。裏周面２２と外周面２１の間に繊維層２３が設けられている。繊維層２３は繊維を交錯に織って構成されるものであるため、嵌め具２の通気性が良く、ユーザの手部の汗による臭いを生じない。
【００１９】
なお、本考案は前記実施の形態に限定されるものではなく、本考案の趣旨に基づいて種々変形させることが可能であり、それらを本考案の範囲から排除するものではない。
【産業上の利用可能性】
【００２０】
本考案は、容器に適用することができる。
【符号の説明】
【００２１】
１  容器本体、２  嵌め具、２´  布、３  縫い糸、１１  底部、１２  外周壁、１３  収容空間、２１  外周面、２２  裏周面、２３  繊維層、２４´  第１端、２５´  第２端、２１１、２２１  毛付け層、
【図１Ａ】
0003193475.tif 000003
【図１Ｂ】
0003193475.tif 000004
【図２】
0003193475.tif 000005
【図３】
0003193475.tif 000006
【手続補正書】
【提出日】平成26年8月5日(2014.8.5)
【手続補正１】
【補正対象書類名】実用新案登録請求の範囲
【補正対象項目名】全文
【補正方法】変更
【補正の内容】
【実用新案登録請求の範囲】
【請求項１】
底部と、前記底部を囲む外周壁と、を有し、前記底部と前記外周壁とから収容空間が形成される容器本体と、
布で作製されるものであり、前記容器本体の前記外周壁に嵌め設けられており、外周面と、裏周面と、を有し、前記裏周面は前記外周壁に面しており、前記外周面は前記裏周面の反対面であり、前記裏周面と前記外周面には、毛付け層がそれぞれ設けられており、前記裏周面と前記外周面の間に繊維層が設けられており、前記繊維層は繊維を交錯に織って構成されるものである嵌め具と、を含み、
前記容器本体の材質は、前記嵌め具の材質と異なることを特徴とする断熱容器。
【請求項２】
前記嵌め具は、シート状を呈する布を縫って形成され、前記布は、第１端と、第２端と、を有し、前記第１端と前記第２端は縫い糸によって縫合され、前記縫い糸は、少なくとも一部が前記嵌め具の前記繊維層の内部に位置し、前記外周面には見えないことを特徴とする、請求項１に記載の断熱容器。
【請求項３】
前記布の前記第１端と前記第２端は、互いに重なり合わないことを特徴とする、請求項２に記載の断熱容器。
【請求項４】
前記嵌め具は、前記容器本体に脱着することが可能であることを特徴とする、請求項１に記載の断熱容器。
【請求項５】
前記嵌め具の素材は不織布を採用することを特徴とする、請求項１に記載の断熱容器。